(57)【要約】【課題】ドアの施錠・解錠状態の検知のための磁気を磁気センサーが正確に検知することができるようにしたサムターンカバーを提供する。【解決手段】ドア１の錠前に設けられているサムターン４がサムターン回しにより不法解錠されるのを防止するためのサムターンカバー２であって、サムターンカバー本体２１と、サムターンカバー本体２１の嵌合部２６に着脱可能なサムターン嵌込用溝２２ａが形成されたサムターン嵌込体２２とから成り、膨出部２５の内部に磁石２４が設けられた構成とされている。【選択図】図１
2014139383.tif 000002
【特許請求の範囲】
【請求項１】
ドアの錠前に設けられているサムターンがサムターン回しにより不法解錠されるのを防止するためのサムターンカバーであって、
その内部又は外部に磁石が設けられていることを特徴とするサムターンカバー。
【請求項２】
嵌合部が形成されたサムターンカバー本体と、該サムターンカバー本体の前記嵌合部に着脱可能なサムターン嵌込用溝が形成されたサムターン嵌込体とから成ることを特徴とする請求項１に記載のサムターンカバー。
【請求項３】
前記サムターンカバー本体の前記嵌合部は、該サムターンカバー本体内部に間隔をあけて設けられた対向する複数の突起間に形成されていることを特徴とする請求項２に記載のサムターンカバー。
【請求項４】
外側に向かって膨出した膨出部が設けられていることを特徴とする請求項１乃至３のいずれか１項に記載のサムターンカバー。
【請求項５】
前記膨出部の内部に前記磁石が設けられていることを特徴とする請求項４に記載のサムターンカバー。
【請求項６】
前記膨出部は、サムターンへの嵌込側縁部又はその近傍に設けられていることを特徴とする請求項４又は５に記載のサムターンカバー。
【発明の詳細な説明】
【技術分野】
【０００１】
本発明は、サムターンがサムターン回しにより不法解錠されるのを防止するサムターンカバーに関するものである。
【背景技術】
【０００２】
従来から、ドアの錠前に設けられているサムターンが、サムターン回しにより不法解錠されるのを防止するサムターンカバーに関する技術が多く提案され、実施に供されている（例えば、特許文献１等を参照）。
【０００３】
また、サムターンに磁石を設け、その近傍に設けた磁気センサーで磁気の変化としてドアの施錠・解錠状態を検知する施錠確認システムも提案されている（例えば、特許文献２等を参照）。
【先行技術文献】
【特許文献】
【０００４】
【特許文献１】特開２００４−２１８２７８号公報
【特許文献２】特開２００６−０６３６１３号公報
【発明の概要】
【発明が解決しようとする課題】
【０００５】
しかしながら、上記した特許文献２のような施錠確認システムにおけるサムターンに、上記した特許文献１のようなサムターンカバーを装着すると、磁気センサーでうまく磁気をひろうことができず、ドアの施錠・解錠状態を正確に検知することができなかった。
【０００６】
そこで、本発明は、ドアの施錠・解錠状態の検知のための磁気を磁気センサーが正確に検知することができるようにしたサムターンカバーを提供することを目的としている。
【課題を解決するための手段】
【０００７】
前記目的を達成するために、本発明のサムターンカバーは、ドアの錠前に設けられているサムターンがサムターン回しにより不法解錠されるのを防止するためのサムターンカバーであって、その内部又は外部に磁石が設けられていることを特徴とする。
【０００８】
ここで、嵌合部が形成されたサムターンカバー本体と、該サムターンカバー本体の前記嵌合部に着脱可能なサムターン嵌込用溝が形成されたサムターン嵌込体とから成るとよい。
【０００９】
また、前記サムターンカバー本体の前記嵌合部は、該サムターンカバー本体内部に間隔をあけて設けられた対向する複数の突起間に形成されているとよい。
【００１０】
さらに、外側に向かって膨出した膨出部が設けられているとよい。
【００１１】
また、前記膨出部の内部に前記磁石が設けられているとよい。
【００１２】
さらに、前記膨出部は、サムターンへの嵌込側縁部又はその近傍に設けられているとよい。
【発明の効果】
【００１３】
このような本発明のサムターンカバーは、ドアの錠前に設けられているサムターンがサムターン回しにより不法解錠されるのを防止するためのサムターンカバーであって、その内部又は外部に磁石が設けられた構成とされている。
【００１４】
上記した構成なので、磁気センサーにより近く磁石を配置することができるため、ドアの施錠・解錠状態の検知のための磁気を磁気センサーが正確に検知することができる。
【００１５】
ここで、嵌合部が形成されたサムターンカバー本体と、サムターンカバー本体の嵌合部に着脱可能なサムターン嵌込用溝が形成されたサムターン嵌込体とから成る場合は、複数のサムターンの種類に合わせたサムターン嵌込用溝が形成されたサムターン嵌込体をそれぞれ用意し、サムターンカバー本体は同じものを用いることができるので、低コストで実施することができる。
【００１６】
また、サムターンカバー本体の嵌合部は、サムターンカバー本体内部に間隔をあけて設けられた対向する複数の突起間に形成されている場合は、空洞部を大きくとれるので、使用する樹脂などの材料が少なくて済み、より低コストで実施することができる。
【００１７】
さらに、外側に向かって膨出した膨出部が設けられている場合は、膨出部が引っ掛かりとなり、サムターンをサムターンカバーごと手で回転させやすいうえに、この膨出部の位置を見るだけで、ドアの施錠・解錠状態を判別することもできる。
【００１８】
また、膨出部の内部に磁石が設けられている場合は、磁石が設けられている位置が直ぐに分かるので、サムターンカバーを、磁石が磁気センサーに近くなる方向になるように容易に装着することができる。
【００１９】
さらに、膨出部は、サムターンへの嵌込側縁部又はその近傍に設けられている場合は、磁石と磁気センサーとの距離をより近くすることができる。
【図面の簡単な説明】
【００２０】
【図１】実施例のサムターンカバーを備えたドア（施錠状態）の概略構成を示す説明図である。
【図２】（ａ）は、実施例のサムターンカバーの分解斜視図であり、（ｂ）は、実施例のサムターンカバーの組み立て状態を示す斜視図である。
【図３】実施例のサムターンカバーを備えたドア（解錠状態）の概略構成を示す説明図である。
【発明を実施するための形態】
【００２１】
以下、本発明を実施するための形態を、図面に示す実施例に基づいて説明する。
【実施例】
【００２２】
先ず、実施例の構成について説明する。
【００２３】
図１は、実施例のサムターンカバー２を備えたドア１の概略構成を示している。
【００２４】
この実施例のサムターンカバー２は、図２（ａ）及び図２（ｂ）に示したように、サムターンカバー本体２１と、サムターン嵌込体２２とから主に構成されている。
【００２５】
ここで、サムターンカバー本体２１は、全体の概形が略円筒形状を呈しており、サムターン４への嵌込側縁部には、さらに外側に向かって膨出する膨出部２５が設けられている。
【００２６】
よって、この膨出部２５を含めても、針金等を引っ掛け難いなめらかな形状である。
【００２７】
そして、この膨出部２５の内部に、磁石２４が設けられている。
【００２８】
また、サムターンカバー本体２１は、サムターンカバー２のサムターン４への装着時にドア１に面する側の片側面が開口しており、その内部には、間隔をあけて対向する複数の突起２３，・・・が設けられており、突起２３，２３，２３と突起２３，２３，２３との間に、嵌合部２６が形成されている。
【００２９】
さらに、サムターン嵌込体２２は、全体の概形が略Ｕ字形状を呈しており、その内側縁部に、サムターン４を嵌め込むためのサムターン嵌込用溝２２ａが形成されている。
【００３０】
そして、このサムターン嵌込体２２をサムターンカバー本体２１の嵌合部２６に嵌合して使用される。
【００３１】
図１は、ドア１が施錠状態にあるときを示しており、この状態で、ドア１に設置した磁気センサー３の磁気検知部３ａに磁石２４が設けられている膨出部２５が向くように、サムターンカバー２を、ドアノブ５の上方にある錠前に設けられているサムターン４に装着する。
【００３２】
なお、サムターンカバー２ごと手でサムターン４を回転させて、図３に示したように解錠状態としたとき、警告の仕方としては、例えば、設定した時間よりも経過すると、磁気センサー３に設けられたスピーカー３ｂから通知音又は警告音が発せられるようにしてもよい。
【００３３】
次に、実施例の作用効果について説明する。
【００３４】
このような実施例のサムターンカバー２は、ドア１の錠前に設けられているサムターン４がサムターン回しにより不法解錠されるのを防止するためのサムターンカバーであって、その内部に磁石２４が設けられた構成とされている。
【００３５】
上記した構成なので、磁気センサー３により近く磁石２４を配置することができるため、ドア１の施錠・解錠状態の検知のための磁気を磁気センサー３が正確に検知することができる。
【００３６】
ここで、サムターンカバー２は、嵌合部２６が形成されたサムターンカバー本体２１と、サムターンカバー本体２１の嵌合部２６に着脱可能なサムターン嵌込用溝２２ａが形成されたサムターン嵌込体２２とから成る。
【００３７】
このため、複数のサムターン４の種類に合わせたサムターン嵌込用溝２２ａが形成されたサムターン嵌込体２２をそれぞれ用意し、サムターンカバー本体２１は同じものを用いることができるので、低コストで実施することができる。
【００３８】
また、サムターンカバー本体２１の嵌合部２６は、サムターンカバー本体２１内部に間隔をあけて設けられた対向する突起２３，２３，２３と突起２３，２３，２３との間に形成されている。
【００３９】
このため、空洞部を大きくとれるので、使用する樹脂などの材料が少なくて済み、より低コストで実施することができる。
【００４０】
さらに、外側に向かって膨出した膨出部２５が設けられている。
【００４１】
このため、膨出部２５が引っ掛かりとなり、サムターン４をサムターンカバー２ごと手で回転させやすいうえに、この膨出部２５の位置を見るだけで、ドア１の施錠・解錠状態を判別することもできる。
【００４２】
また、膨出部２５の内部に磁石２４が設けられている。
【００４３】
このため、磁石２４が設けられている位置が直ぐに分かるので、サムターンカバー２を、磁石２４が磁気センサー３に近くなる方向になるように容易に装着することができる。
【００４４】
さらに、膨出部２５は、サムターンへの嵌込側縁部に設けられている。
【００４５】
このため、磁石２４と磁気センサー３との距離をより近くすることができる。
【００４６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００４７】
例えば、上記した実施例では、磁石２４をサムターンカバー２の内部に設けて実施したが、これに限定されず、外部に設けて実施してもよい。
【００４８】
また、上記した実施例では、サムターンカバー２の全体形状を略円筒形状として実施したが、これに限定されず、他の形状で実施してもよい。
【００４９】
すなわち、針金等が引っ掛かり難いなめらかな形状であるとよい。
【００５０】
さらに、上記した実施例では、膨出部２５をサムターン４への嵌込側縁部に設けて実施したが、これに限定されず、その近傍に設けて実施してもよく、略同様な作用効果が得られる。
【００５１】
また、上記した実施例では、ドア１が解錠状態のときに膨出部２５が下側にくるようにして実施したが、これに限定されず、例えば、上側にくるようにして実施してもよい。
【００５２】
こうすれば、特に背の高い大人は、膨出部２５を見て、より容易にドア１の施錠・解錠状態を判別することができる。
【符号の説明】
【００５３】
１      ドア
２      サムターンカバー
２１    サムターンカバー本体
２２    サムターン嵌込体
２２ａ  サムターン嵌込用溝
２３    突起
２４    磁石
２５    膨出部
２６    嵌合部
３      磁気センサー
３ａ    磁気検知部
３ｂ    スピーカー
４      サムターン
５      ドアノブ
【図１】
2014139383.tif 000003
【図２】
2014139383.tif 000004
【図３】
2014139383.tif 000005